(57)【要約】【目的】本発明は、特に車椅子の使用者に適した引き戸に関するものであり、車椅子を動かさなくても、容易に必要な開口幅を得ることが出来る引き戸、すなわち、必要な開口幅に対し取手の移動幅が半分で済む引き戸を提供する事を目的とする。【構成】外扉と、外扉に収納される内扉と、外扉と内扉が収納される収納壁からなり、外扉の移行に連動して内扉が外扉の２倍の速度で移行する引き戸において、扉の移動用の取手を外扉の戸先側の表裏両側に設けたものである。【選択図】    図１
2004263487.tif 000002
【特許請求の範囲】
【請求項１】
外扉と、外扉に収納される内扉と、外扉と内扉が収納される収納壁からなり、外扉の移行に連動して内扉が外扉の２倍の速度で移行する引き戸において、扉の取手を外扉の戸先側の表裏両側に設けたことを特徴とする引き戸。
【請求項２】
外扉と内扉の全開放状態で、外扉の取手を設けた戸先側端部が、収納壁より開口側に突出していることを特徴とする請求項１に記載の引き戸。
【発明の詳細な説明】
【０００１】
【発明の属する技術分野】
本発明は、特に車椅子の使用者に適した引き戸に関するものである。
【０００２】
【従来の技術】
近年、扉の全開時の扉幅の減少、すなわち収納壁の幅の減少、さらに、扉全体の厚みの減少を目的とし、外扉と、外扉に収納される内扉と、外扉と内扉が収納される収納壁からなり、外扉の移行に連動して内扉が外扉の２倍の速度で移行する引戸が提供されている。（例えば、特許文献１参照。）
【０００３】
しかしながら、この引戸は扉の取手が内扉の戸先側に設けられているので、車椅子の使用者が閉鎖状態の扉を開放しようとする場合、開口部の端（内扉の戸先側の取手に手が届く位置）まで車椅子で近づいた後、取手を開放側に移動させる（引戸を開放していく）が、取手を設けた内扉の戸先側は開口幅の全幅に渡って移動するので、扉を所望の位置まで開くために、取手の操作に加えて、開放方向へ、もう一方の手で車椅子を動かせながら扉を開放させなければならない場合があった。
特に、扉に自閉機能が付加されている場合は、開放方向への力を加え続けながら車椅子を動かさなければならず、上記の動作は非常に煩わしかった。
【０００４】
【特許文献１】
特開２０００−１９２７４０号公報
【０００５】
【本発明が解決しようとする課題】
本発明は、車椅子を移動させなくても、容易に必要な開口幅を得ることが出来る引き戸を提供する事を課題とする。
すなわち、必要な開口幅に対し取手の移動幅が半分で済む引き戸を提供する事を課題とする。
【０００６】
【課題を解決するための手段】
そこで、上記課題を解決する為、本発明が第１の手段として構成したところは、外扉と、外扉に収納される内扉と、外扉と内扉が収納される収納壁からなり、外扉の移行に連動して内扉が外扉の２倍の速度で移行する引戸において、扉の移行用の取手を外扉の戸先側の表裏両側に設けたものである。
次に、本発明が第２の手段として構成したところは、前記第１の手段に加え、外扉と内扉の全開放状態で、外扉の取手を設けた戸先側端部が収納壁より、開口側に突出しているものである。
【０００７】
【実施例】
以下実施例を図面に基づいて説明する。
図１は、本発明の概略正面図を示し、符号１は、本発明の引き戸を示し、引戸１は、壁面１００の開口部に取り付けられた三方枠２と、三方枠２の上部に張り渡された扉支持材３（図７参照）と、扉支持材３に外スライド部材４１、４２を介して摺動自在に吊り下げられた外扉５と、扉支持材３に内スライド部材４３を介して摺動自在に吊り下げられ、外扉５内に収納可能で外扉５と連動する内扉６と、全開放時、外扉５と内扉６を収納する収納壁（戸袋）７と、扉支持枠３と各スライド部材４４，４２，４３と、内扉６及び外扉５の上部を隠蔽する上部カバー８と、外部から隠蔽された外扉５と内扉６の連動装置９等より構成されている。
【０００８】
三方枠２は、左右縦枠２１、２１と、左右縦枠２１、２１の上端間を連結する上枠２２より構成され壁面１００の開口部の内壁と床面に固定されている。
そして、左縦枠２１の内面側上下方向に渡って戸当たり受け部材２３が取り付けられている。
扉支持部材３は、左右端部が高さ調節可能に左右縦枠２１，２１の上端部に連結され、下面に外スライド部材４１、４２、内スライド部材４３を連結保持している。
【０００９】
外スライド部材４１、４２は対向した同形をなし、対向した同形のスライド部材取付座４１１、４２１にて、扉支持部材３の下面に補強材４０を介して連結されている。
すなわち外スライド部材４１（外スライド部材４２は対向した同形をなしているので説明は省略する。）は、補強材４０の内面に連結された固定側レール４０１と、固定側レール４０１にリテーナー４０２に保持されたボール４０３・・・を介して固定側レール４０１に摺動自在に保持された移動側レール４０４等より構成され、移動側レール４０４の外面に外扉５の吊り受け座５０が設けられている。
内スライド部材４３は外スライド部材４１と同形に構成され、移動側レールの外面に吊り受け座５０を有している。
【００１０】
外扉５は、表裏方向に所定間隔を有して前記外スライド部材４１、４２の下方に位置し、下面が開口する表扉板ガイド溝５１１、裏扉板ガイド溝５２１を有する表裏扉板５１、５２より構成され、上端に前記吊り受け座５０、５０に対応して吊座５０１、５０１が設けられると共に、表裏扉板５１、５２の戸先側端部の上下方向所定位置に移動用の取手５００が設けられ、さらに、戸尻側下端部が繋ぎ板５３にて連結され、一枚の扉として同時に移動する。
そして、表扉板５１の戸先側内面には、後記する内扉６の移動時の表裏方向への振れを防止する回転自在の第１ガイド部材５１０が第１ガイド取付座５１２を介して設けられている。
【００１１】
収納壁７は、前記外扉５が収納される大きさで表裏方向に所定間隔を有し、上部が扉支持部３に設けられた収納壁取付座（図示せず。）に連結され、戸尻側端部が右縦枠２１に係止され、下端部が床面に連結固定された表裏地レール材２０、２０に係止立設された表裏戸袋パネル７１、７２より構成されている。
表裏戸袋パネル７１、７２の戸先側内面には、前記ガイド溝５１１、５２１に下方から嵌合し、外扉５の移動時の表裏方向への振れを防止する回転自在の第２、第３ガイド部材７１１，７２１がガイド取付座７１２，７２２を介して設けられている。
【００１２】
内扉６は、下面が開口し、前記第１ガイド部材５１０が内嵌する内扉ガイド溝６１を下端部に有し、上端部に前記吊り受け座５０に対応して、吊座６０が設けられている。そして、戸先側端面に前記戸当たり受け部材２３に対応して戸当たり部６２が取り付けられている。
上部カバー８は、上端部が三方枠２の上枠２２の内面に係止し、戸先側と戸尻側の端部が扉支持部３に設けたカバー取付座（図示せず。）に着脱自在に連結された表裏上カバー体８１、８２より形成され、内扉６、外扉５の上端部、表裏戸袋パネル７１、７２の上端及び扉支持部３を表裏両側から隠蔽している。
【００１３】
連動装置９は、基端部が表戸袋パネル７１の戸尻側端部下端に設けられたリンク取付座９１に回動自在に連結され、遊端部が内扉６の戸尻側端部に設けられた連動案内部９２に上下方向に移動可能で回動自在に連結された連動杆９３の中間部を、表扉板５１の戸尻側端部に形成されたリンク保持座９４に回動自在で上下方向に移動可能に連結して構成されている。
【００１４】
尚、実施例では、収納壁７は、表裏戸袋パネル７１、７２より構成され、上部カバー８は、表裏上カバー体８１、８２より構成され、連動装置９は連動杆９３をもって構成しているが、外扉５と内扉６が開閉する部分（出入り口部）以外を壁面と同一の内装で仕上げる場合は、施工の容易さを考慮した収納壁７、連動装置９、表裏上カバー体８１、８２等に適宜変更可能である。
【００１５】
本発明は上記の如く構成されているので、閉鎖状態（図３に示す。）から、外扉５が戸尻側に移動すると、連動装置９によって、外扉５の移動距離の２倍の移動距離で内扉６は移動し、外扉５が収納壁７内に収納される速さの２倍の速さで内扉６は、外扉５内に収納されていき、内扉６が外扉５に完全に収納された時点で、外扉５の移動用の取手５００（外扉５の戸先側端部）が収納壁７からやや突出した状態で収納壁７に収納されて停止し全開状態となる。（図５に示す状態。）
【００１６】
【発明の効果】
請求項１に記載の発明によると、外扉に内扉が収納される構成であるので、移動用の取手を表裏両側（部屋内側と廊下側）に設けても、内扉の移動に一切影響を与える事がない。
又、外扉に設けた取手を開放方向に移動させると、外扉の移動距離に対し内扉は２倍の距離移動するので、取手の移動距離が小さくとも大きな開口幅を得る事が出来る。
すなわち、必要な開口幅に対し取手の移動幅が半分で済むので、車椅子を移動させなくても、簡単に必要な開口幅を得ることが出来る。
請求項２に記載の発明によると、外扉と内扉の全開放状態で、外扉の取手を設けた戸先側端部が収納壁より、開口側に突出しているので外扉の全開時に指先を収納壁に衝突させることがなく安全である。
【図面の簡単な説明】
【図１】本発明の全閉時の概略正面図
【図２】本発明の全開時の概略正面図
【図３】本発明の全閉時の要部横断面図
【図４】本発明の開放途中の要部横断面図
【図５】本発明の全開時の要部横断面図
【図６】本発明の要部縦断面図
【図７】図６のＡ部拡大図
【図８】図６のＢ部拡大図
【符号の説明】
１                  引き戸
５                  外扉
５００              取手
６                  内扉
７                  収納壁
【図１】
2004263487.tif 000003
【図２】
2004263487.tif 000004
【図３】
2004263487.tif 000005
【図４】
2004263487.tif 000006
【図５】
2004263487.tif 000007
【図６】
2004263487.tif 000008
【図７】
2004263487.tif 000009
【図８】
2004263487.tif 000010